(57)【要約】【課題】各水設備からよほど大量の排水が排水ヘッダーに流入しない限り負圧による水設備のトラップの封水破壊が生じ難い床下配管構造を提供する。【解決手段】床下に排水ヘッダー２を設置して、その上流側端部の接続口２ａと下流側端部の接続口２ｂと側部の接続口２ｃに、上流側排水管３ａと下流側排水管３ｂと排水枝管を接続すると共に、排水ヘッダーの内部上方空間と下流側排水管の内部上方空間をバイパス通気管４で連通し、渦流を発生させる渦流発生器６を建物の基礎５の内側に設置して下流側排水管３ｂと基礎貫通排水管３ｄを接続した構成の床下配管構造とする。渦流発生器６で下流側排水管３ｂを大気圧に保ち、下流側排水管３ｂの排水ヘッダー近傍部分が排水で閉塞しても、バイパス通気管４で排水ヘッダー２と上流側排水管３ａと排水枝管を下流側排水管３ｂと同じ大気圧に保って、負圧による水設備のトラップの封水破壊を防止する。【選択図】図１
2006307536.tif 000002
【特許請求の範囲】
【請求項１】
床下に排水ヘッダーを設置して、その上流側端部の接続口と下流側端部の接続口と側部の接続口に、上流側排水管と下流側排水管と排水枝管をそれぞれ接続すると共に、排水ヘッダーの内部上方空間と下流側排水管の内部上方空間をバイパス通気管で連通し、渦流を発生させる渦流発生器を建物の基礎の内側に設置して、その側部の接続口と底部の接続口に上記下流側排水管と基礎貫通排水管をそれぞれ接続したことを特徴とする床下配管構造。
【請求項２】
床下に排水ヘッダーを設置して、その上流側端部の接続口と下流側端部の接続口と側部の接続口に、上流側排水管と下流側排水管と排水枝管をそれぞれ接続すると共に、排水ヘッダーの内部上方空間と下流側排水管の内部上方空間をバイパス通気管で連通し、渦流を発生させる渦流発生器を下流側端部に連設した第二の排水ヘッダーを建物の基礎の内側に設置して、第二の排水ヘッダーの上流側端部の接続口と側部の接続口に上記下流側排水管と他の排水枝管をそれぞれ接続すると共に、渦流発生器の底部の接続口に基礎貫通排水管を接続したことを特徴とする床下配管構造。
【請求項３】
基礎貫通排水管の下流側端を、屋外の排水管路の始端又は途中に埋設した渦流を発生させる排水桝に接続したことを特徴とする請求項１又は請求項２に記載の床下配管構造。
【発明の詳細な説明】
【技術分野】
【０００１】
本発明は、排水ヘッダーを用いた集中一括排水システムの床下配管における負圧の発生をなくし、負圧による水設備のトラップの封水破壊を防止することができる床下配管構造に関する。
【背景技術】
【０００２】
排水ヘッダーを用いた集中一括排水システムの床下配管においては、洗面台、台所、浴室、トイレなどの水設備から多量の排水が上流側排水管や排水枝管を通って排水ヘッダーに流入すると、排水ヘッダー内部の水位が上昇して下流側排水管の排水ヘッダー近傍部分が排水によって閉塞され、排水ヘッダーの内部や上流側排水管の内部や排水枝管の内部に負圧が発生して、水設備のトラップの封水破壊が生じやすいという問題があった。また、このような床下配管においては、建物の基礎を貫通する基礎貫通排水管の立上がり端部が直角エルボ継手を介して上記の下流側排水管に接続されることが多いため、この直角エルボ継手の内部や基礎貫通排水管の屈曲部分が排水で閉塞されて、上記と同様に負圧による封水破壊が生じるという問題もあった。
【０００３】
上記の問題に対処するため、床下に集合ます（排水ヘッダー）を設置し、この集合ますに接続した下流側排水管を、バイパス管路付き段差接合管路を介して屋外の排水桝に接続した床下配管構造が提案されている（特許文献１）。
【０００４】
かかる床下配管構造では、段差接合管路の屈曲部が排水で閉塞されても、バイパス管路を通じて管路内の通気が保たれるため、下流側排水管内での負圧の発生は一応防止される。しかしながら、多量の排水によって集合ますの内部の水位が下流側排水管の接続口より高くなると、下流側排水管の集合ます近傍部分が排水により閉塞されて、集合ますの内部や上流側排水管の内部に負圧が発生するため、水設備のトラップの封水破壊を満足に防止できないという問題が依然として残っていた。また、この床下配管構造のように、下流側排水管をバイパス管路付き段差接合管路を介して屋外の排水桝に接続したものは、バイパス管路付き段差接合管路が嵩高く、該管路の組立てが面倒で、大きい埋設スペースを必要とするため、施工が容易でないという問題もあった。
【特許文献１】特開２００３−１４７８２６号公報
【発明の開示】
【発明が解決しようとする課題】
【０００５】
本発明は上記の問題を解決すべくなされたもので、各水設備からよほど大量の排水が排水ヘッダーに流入しないかぎり、排水管が閉塞して負圧を発生する心配がないため、負圧による水設備のトラップの封水破壊が生じ難い、施工の容易な床下配管構造を提供することを本発明の解決課題としている。
【課題を解決するための手段】
【０００６】
上記課題を解決するため、本発明に係る第一の床下配管構造は、床下に排水ヘッダーを設置して、その上流側端部の接続口と下流側端部の接続口と側部の接続口に、上流側排水管と下流側排水管と排水枝管をそれぞれ接続すると共に、排水ヘッダーの内部上方空間と下流側排水管の内部上方空間をバイパス通気管で連通し、渦流を発生させる渦流発生器を建物の基礎の内側に設置して、その側部の接続口と底部の接続口に上記下流側排水管と基礎貫通排水管をそれぞれ接続したことを特徴とするものである。
【０００７】
そして、本発明に係る第二の床下配管構造は、床下に排水ヘッダーを設置して、その上流側端部の接続口と下流側端部の接続口と側部の接続口に、上流側排水管と下流側排水管と排水枝管をそれぞれ接続すると共に、排水ヘッダーの内部上方空間と下流側排水管の内部上方空間をバイパス通気管で連通し、渦流を発生させる渦流発生器を下流側端部に連設した第二の排水ヘッダーを建物の基礎の内側に設置して、第二の排水ヘッダーの上流側端部の接続口と側部の接続口に上記下流側排水管と他の排水枝管をそれぞれ接続すると共に、渦流発生器の底部の接続口に基礎貫通排水管を接続したことを特徴とするものである。
【０００８】
本発明に係る第一及び第二の床下配管構造においては、基礎貫通排水管の下流側端を、屋外の排水管路の始端又は途中に埋設した渦流を発生させる排水桝に接続することが好ましい。
【発明の効果】
【０００９】
第一の床下配管構造において、洗面台、台所、浴室、トイレなどの水設備からの排水が上流側排水管や排水枝管を通って排水ヘッダーに多量に流入し、排水ヘッダー内部の水位が下流側端部の接続口より高くなると、下流側排水管の排水ヘッダー近傍部分が排水で閉塞されるが、このように閉塞されても、下流側排水管の閉塞箇所より下流側の内部上方空間と排水ヘッダーの内部上方空間がバイパス通気管によって連通しているため、よほど大量の排水量でない限り、排水ヘッダーや上流側排水管や排水枝管は下流側排水管と同じ圧力に保たれ、負圧を生じることはない。そして、下流側排水管から渦流発生器に流入した排水は渦流となり、その中心に空気芯が形成されて渦流発生器の底部の接続口から基礎貫通排水管に流れ落ちるため、基礎貫通排水管も排水で閉塞されることがなく、基礎貫通排水管と下流側排水管は常に通気が確保されて大気圧に保たれる。従って、この下流側排水管とバイパス通気管で連通している排水ヘッダーや、この排水ヘッダーに接続された上流側排水管、排水枝管も大気圧に保たれ、上記のように下流側排水管の排水ヘッダー近傍箇所が排水で閉塞されても、バイパス通気管の通気作用が損なわれるほどの大量の排水が流れない限り、上流側排水管や排水枝管に負圧が発生することはないので、負圧による水設備のトラップの封水破壊を防止することができる。
【００１０】
また、第二の床下配管構造も、バイパス通気管によって排水ヘッダーの内部上方空間と下流側排水管の内部上方空間が連通され、かつ、下流側排水管から第二の排水ヘッダーを通ってその下流側端部の渦流発生器に流入した排水は渦流となって空気芯を形成しながら流落して基礎貫通排水管を閉塞することがない。従って、下流側排水管の排水ヘッダー近傍部分が排水で閉塞されても、上流側排水管、排水枝管、排水ヘッダー、下流側排水管、第二の排水ヘッダー、基礎貫通排水管の全ての通気が確保されてほぼ大気圧に保たれるため、バイパス通気管の通気作用が損なわれるほどの大量の排水が流れない限り、負圧による水設備のトラップの封水破壊を生じることはない。しかも、この床下配管構造は第二の排水ヘッダーを増設しているため、より多くの排水枝管を接続して一括排水の効率を高めることができる。
【００１１】
更に、基礎貫通排水管の下流側端を、屋外の排水管路の始端又は途中に埋設された渦流を発生させる排水桝に接続した床下配管構造は、基礎貫通排水管から排水桝に流入した排水が渦流となって空気芯を形成しながら屋外の排水管路に流出するため、屋外の排水管路が排水で閉塞されることもなくなり、より確実に封水破壊を防止することができる。
【発明を実施するための最良の形態】
【００１２】
以下、図面を参照して本発明の具体的な実施形態を詳述する。
【００１３】
図１は本発明に係る第一の床下配管構造の実施形態を示す全体図、図２は同床下配管構造に用いる排水ヘッダーの斜視図、図３は同排水ヘッダーの断面図、図４は同排水ヘッダーの分解断面図、図５は同床下配管構造に用いるバイパス通気管の側面図、図６は同床下配管構造に用いる渦流発生器の断面図、図７は同渦流発生器の蓋を外した平面図、図８は同床下配管構造の拡大部分断面図である。
【００１４】
図１に示す床下配管構造では、床下の土間コンクリート１の上に、合成樹脂製の排水ヘッダー２が設置されており、この排水ヘッダー２の上流側端部の接続口２ａと下流側端部の接続口２ｂと側部の接続口２ｃには、上流側排水管３ａと下流側排水管３ｂと水設備からの排水枝管（不図示）がそれぞれ接続されている。そして、バイパス通気管４の両端が、直角エルボ継手４ａ，４ａを介して排水ヘッダー２の上部開口２ｄと下流側排水管３ｂの途中のチーズ継手３ｃに接続されており、図８に示すように、このバイパス通気管４によって排水ヘッダー２の内部上方空間Ｖ１と下流側排水管３ｂの内部上方空間Ｖ２が連通されている。
【００１５】
また、布基礎５の内側の土間コンクリート１の箱抜き部分１ａには、合成樹脂製の渦流発生器６が設置されており、その側部の接続口６ａには下流側排水管３ｂが接続されている。そして、この渦流発生器６の底部の接続口６ｂには、布基礎５を貫通する基礎貫通排水管３ｄの上流側端が大曲り継手３ｅと深さ調節用の縦管３ｆを介して下方から接続されており、この基礎貫通排水管３ｄの下流側端は、屋外の排水管路（不図示）の始端又は途中に埋設された渦流を発生させる排水桝７の側部の接続口７ａに接続されている。
【００１６】
上記の排水ヘッダー２は、図２に示すように、排水の流れが良好な卵形の断面形状を有する横筒体であって、その上流側端部には上流側排水管３ａを接続する接続口２ａが設けられ、下流側端部には下流側排水管３ｂを接続する接続口２ｂが設けられ、両側部には排水枝管（不図示）を接続する複数の接続口２ｃ，２ｃが設けられている。
【００１７】
上流側端部の接続口２ａと両側部の接続口２ｃはいずれも、その上端が排水ヘッダー２の上端と略同一の高さとなるように上方に偏位して設けられており、排水ヘッダー２の内部の水位が上昇しても、これらの接続口２ａ，２ｃに接続される上流側排水管３ａや排水枝管が閉塞されないようになっている。一方、下流側端部の接続口２ｂは、これに接続される下流側排水管３ｂの内底面の最下部と排水ヘッダー２の内底面の最下部とが同じ高さとなるように、下方に偏位して設けられており、排水が排水ヘッダー２の底部に滞溜することなく全て下流側排水管３ｂに流出するようになっている。
【００１８】
また、この排水ヘッダー２の上部には複数の開口２ｄが設けられており、そのうち最も下流側に位置する上部開口２ｄは、バイパス通気管４の接続口として利用されるものである。その他の上部開口２ｄは点検口として利用されるものであり、キャップ２ｅが脱着自在に取付けられている。
【００１９】
この排水ヘッダー２は合成樹脂で一体成形されたものではなく、図３，図４に示すように、合成樹脂で成形された複数のヘッダー用継手２ｆ，２ｆと上流側端部閉塞部材２ｇと下流側端部閉塞部材２ｈを接合一体化したものである。
【００２０】
ヘッダー用継手２ｆは、卵形の断面形状を有する短尺筒体の一端側（上流端側）に受口２ｉを形成し、短尺筒体のいずれか片側面に排水枝管の接続口２ｃを上方に偏位させて形成すると共に、短尺筒体の上面に開口２ｄを形成したものであって、点検口として利用される上部開口２ｄにはキャップ２ｅが脱着自在に螺合されている。
【００２１】
また、上流側端部閉塞部材２ｇは、卵形の形状を備えた閉塞板の片側に、ヘッダー用継手２ｆの受口２ｉに差し込まれる差込み筒部２ｊを形成すると共に、上流側排水管３ａの接続口２ａを閉塞板の上方に偏位させて形成したものであり、下流側端部閉塞部材２ｈは、下流側の開口端が下方に偏心した先窄まり形状の漏斗型筒体の上流側の開口端に、ヘッダー用継手２ｆが差し込まれる受口２ｋを形成すると共に、下方に偏心した下流側の開口端に、下流側排水管３ｂの接続口２ｂを形成したものである。
【００２２】
この排水ヘッダー２は、上記のヘッダー用継手２ｆの受口２ｉに、隣接する上流側のヘッダー用継手２ｆの他端側（下流側）の端部を差し込んで接着剤で水密的に接続し、この上流側のヘッダー用継手２ｆの受口２ｉに上記の上流側端部閉塞部材２ｇの差込み筒部２ｊを差し込んで接着剤で水密的に接続すると共に、下流側のヘッダー用継手２ｆの端部を下流側端部閉塞部材２ｈの受口２ｋに差し込んで接着剤で水密的に接続することにより組み立てられたものである。従って、ヘッダー用継手２ｆの接続個数を増減することによって、排水枝管の接続口２ｃを所望数備えた排水ヘッダー２を組み立てることができ、また、片側面に接続口２ｃが形成されたヘッダー用継手２ｆと、反対側面に接続口２ｃが形成されたヘッダー用継手２ｆとの組合わせ方によって、片側面のみに接続口２ｃを有する排水ヘッダー２や、両側面に所望数の接続口２ｃを有する排水ヘッダー２を組み立てることができる。
【００２３】
上記の排水ヘッダー２は、図１、図８に示すように、その両端部をヘッダー支持具８，８で支持することにより、所定の流れ勾配を付けて土間コンクリート１の上に設置されている。
【００２４】
バイパス通気管４は、図５に示すように、コルゲート管などの可撓性を備えた合成樹脂管からなるものであって、その両端には直角エルボ継手４ａ，４ａが取付けられており、抜止めリング４ｂ，４ｂによって通気管４の両端が直角エルボ継手４ａ，４ａから抜け出さないように係止されている。そして、直角エルボ継手４ａの差込み口４ｃの外周面には，リング状の防水パッキンを嵌着するためのパッキン嵌着溝４ｄが複数条形成されている。
【００２５】
このバイパス通気管４は、両端の直角エルボ継手４ａ，４ａのパッキン嵌着溝４ｄ，４ｄに防水パッキンを嵌着して、図８に示すように、上流側端の直角エルボ継手４ａの差込み口４ｃを排水ヘッダー２の上部開口２ｄ（下流側に位置する方の上部開口２ｄ）に水密的に差込み接続すると共に、下流側端の直角エルボ継手４ａの差込み口４ｃを下流側排水管３ｂの途中のチーズ継手３ｃの上部接続口３ｇに水密的に差込み接続することによって、排水ヘッダー２の内部上方空間Ｖ１と下流側排水管３ｂの内部上方空間Ｖ２を連通し、下流側排水管３ｂの排水ヘッダー近傍部分が排水Ｗで閉塞されても、排水ヘッダー２内部に負圧が発生するのを防止するものである。従って、排水Ｗで閉塞される下流側排水管３ｂの排水ヘッダー近傍部分よりも下流側の内部上方空間Ｖ２を確保できる箇所にチーズ継手３ｃを取付け、該チーズ継手３ｃの上部接続口３ｇにバイパス通気管４の下流側端の直角エルボ継手４ａの差込み口４ｃを差込み接続することが大切である。実験を繰り返した結果、下流側排水管３ｂが例えばＶＵ管の呼径７５ｍｍ（以下ＶＵ７５と記す）の排水管であれば、下流側排水管３ｂの上流側端から略５０ｃｍまでの部分は内部上方空間Ｖ２が確保され難く、上流側端から略７０ｃｍ以上離れた部分は内部上方空間Ｖ２が確保されることが分かったので、具体的にＶＵ７５の下流側排水管３ｂを用いる場合は、下流側排水管３ｂの上流側端から少なくとも略７０ｃｍ離れた部分にチーズ継手３ｃを取付けてバイパス通気管４の下流側端の直角エルボ継手４ａを接続することが好ましい。
【００２６】
布基礎５の内側近傍に設置された渦流発生器６は、図６、図７に示すように、その開口上部６ｃが円環状に形成されており、この円環状の開口上部６ｃに把手の付いた円形の蓋体６ｄが脱着可能に嵌着されている。この円環状の開口上部６ｃの下側の側壁６ｅは、図７に示すように、途中から曲率半径が徐々に減少して底壁６ｆの接続口６ｂに至る渦巻き状に形成されており、この渦巻き状の側壁６ｅの始端部と終端部が平らな縦壁６ｇで連結されている。そして、下流側排水管３ｂを接続する接続口６ａは、渦流発生器６の片側に偏位して側壁６ｅの始端側の下部から上記の縦壁６ｇと並行に突設されており、底壁６ｆの接続口６ｂは、平面視したとき渦巻き状の側壁６ｅの終端部に内接する位置に形成されている。従って、接続口６ａに接続された下流側排水管３ｂから渦流発生器６に流入した排水は、渦巻き状の側壁６ｅに沿って渦流を生じ、空気芯を形成しながら渦流に大きな乱れを生じることなく渦流の勢いを保って、底壁６ｆの接続口６ｂから深さ調節用の縦管３ｆ、大曲り継手３ｅを流落して基礎貫通排水管３ｄへ流れるようになっている。また、この渦流発生器６のように、下流側排水管３ｂを接続する接続口６ａが側壁６ｅの始端側の下部から突設されていると、流入側の接続口６ａと底壁６ｆの流出側の接続口３ｂとの高低差が僅かであるため、下流側排水管３ｂの高さを低くおさえることにより、床下配管の延長距離を延ばすことができる。
【００２７】
また、既述したように基礎貫通排水管３ｄが大曲り継手３ｅと深さ調節用の縦管３ｆを介して渦流発生器６の底壁の接続口６ｂに接続されていると、切断により深さ調節用の縦管３ｆの長さを変えるだけで簡単に基礎貫通排水管３ｄの深さ位置を調節できると共に、この縦管３ｆ及び接続口６ｂを中心に渦流発生器６を回転させて、下流側排水管３ｂを布基礎５に対して所望の角度となるように配管できるので、施工性及び配管の自由度が向上する。
【００２８】
基礎貫通排水管３ｄの下流側端部を接続する排水桝７は、屋外の排水管路（不図示）の始端又は途中に埋設されたもので、渦流を発生させる排水桝である。即ち、この排水桝７は、基礎貫通排水管３ｄを接続する側壁上部の接続口７ａが桝の中心より片側に偏位して形成されており、基礎貫通排水管３ｄから流入した排水が排水桝７の側壁内面沿いに流れて渦流となり、下部の接続口７ｂから屋外の排水管路（不図示）へ排水されるようになっている。
【００２９】
以上のような床下配管構造では、洗面台、台所、浴室、トイレなどの各水設備からの排水が上流側排水管３ａや排水枝管（不図示）を通って排水ヘッダー２に多量に流入し、図８に示すように、排水ヘッダー２内部の排水Ｗの水位が下流側端部の接続口２ｂより高くなると、下流側排水管３ｂの排水ヘッダー近傍部分が排水Ｗで閉塞されるが、このように閉塞されても、下流側排水管３ｂの閉塞箇所より下流側の内部上方空間Ｖ２と排水ヘッダー２の内部上方空間Ｖ１がバイパス通気管４によって連通しているため、よほど大量の排水によって通気管４の通気作用が損なわれない限り、排水ヘッダー２や上流側排水管３ａや排水枝管は下流側排水管３ｂと同じ大気圧に保たれ、負圧を生じることはない。そして、下流側排水管３ｂから渦流発生器６に流入した排水は渦流となり、その中心に空気芯が形成されて渦流発生器６の底部の接続口６ｂから高さ調節用の縦管３ｆ、大曲り継手３ｅを通って基礎貫通排水管３ｄに流れ落ちるため、これらの縦管３ｆ、大曲り継手３ｅ、基礎貫通排水管３ｄも排水Ｗで閉塞されることがなく、更に、基礎貫通排水管３ｄから屋外の排水桝７に流入した排水も渦流となって屋外の排水管路へ排水されるため、屋外の排水管路が排水で閉塞されることもない。従って、下流側排水管３ｂは常に通気が確保されて大気圧に保たれるので、この下流側排水管３ｂとバイパス通気管４で連通している排水ヘッダー２や、この排水ヘッダー２に接続された上流側排水管３ａ、排水枝管等も大気圧に保たれ、上記のように下流側排水管３ｂの排水ヘッダー近傍箇所が排水Ｗで閉塞されても、バイパス通気管４の通気作用が損なわれるほどの大量の排水が流れない限り、上流側排水管３ａや排水枝管に負圧が発生して水設備のトラップの封水破壊を生じる心配はない。
【００３０】
図９は本発明に係る第二の床下配管構造の実施形態を示す全体図、図１０は同床下配管構造に用いる渦流発生器を連設した第二の排水ヘッダーを示す斜視図である。
【００３１】
この床下配管構造は、前述の渦流発生器６に代えて、渦流発生器が連設された第二の排水ヘッダー２０を家屋の布基礎５の内側に設置し、この排水ヘッダー２０の上流側端部の接続口２ａに下流側排水管３ｂを接続している点で、前述の床下配管構造と異なっている。
【００３２】
第二の排水ヘッダー２０は、図１０に示すように、その下流側端部に渦流発生器６０を連設したものであって、排水ヘッダー２０それ自体は、前述の下流側端部閉塞部材２ｈを取り外した排水ヘッダー２と同じものであるから、図９、図１０において同一部材に同一符号を付して、排水ヘッダー２０それ自体の説明を省略し、渦流発生器６０についてのみ説明することにする。
【００３３】
この渦流発生器６０は、図１０に示すように、その排水導入通路部６０ａの端部に受口６０ｂを備え、この受口６０ｂに排水ヘッダー２０の下流側端部を嵌合して接着剤で水密的に接合することにより、排水ヘッダー２０の下流側端部に水漏れなく連設されている。そして、排水導入通路部６０ａは、受口６０ｂから前方に向かって先細り状に絞った形状の通路部に形成されている。
【００３４】
この渦流発生器６０は、その排水導入通路部６０ａから延びる一方の側壁が、曲率半径の漸減する渦巻き状の湾曲側壁部６０ｃに形成されており、この湾曲側壁部６０ｃは排水ヘッダー２０の片側に膨出して、その曲率半径の小さい方の端部６０ｄ（終端部）が排水導入通路部６０ａの他方の側壁に連なっている。そして、この渦流発生器６０の底壁に形成された接続口６０ｅには、基礎貫通排水管３ｄが大曲り継手３ｅと深さ調節用の縦管３ｆを介して接続されており、この底壁の接続口６０ｅは、渦流発生器６０を平面視したとき、湾曲側壁部６０ｃの曲率半径の小さい方の端部２ｄに内接する位置関係となっている。また、この渦流発生器６０の排水導入通路部６０ａを除いた上端開口部６０ｆには、蓋体６０ｇが脱着可能に被着されている。
【００３５】
このような渦流発生器６０が排水ヘッダー２０の下流側端部に連設されていると、排水ヘッダー２０から排水導入通路部６０ａを通って渦流発生器６０へ流入した排水が、湾曲側壁部６０ｃの内面に沿って流れながら渦流となり、湾曲側壁部６０ｃの曲率半径の小さい方の端部２ｄから、渦流に大きな乱れを生じることなく渦流の勢いを保ったまま、底壁の接続口６０ｅに流れ込んで基礎貫通排水管３ｄへ流れるため、渦流の中心に空気芯が確実に形成されて、基礎貫通排水管３ｄの閉塞が防止されることになる。特に、この実施形態のように渦巻き状の湾曲側壁部６０ｃが排水ヘッダー２０の片側に膨出していると、渦流を発生させる湾曲側壁部６０ｃの沿面距離が長くなって、乱れの少ない勢いのある渦流を発生させる利点がある。
【００３６】
図９に示す床下配管構造の他の構成は、前述した図１の床下配管構造と同様であるから、図９において同一部材に同一符号を付して説明を省略する。
【００３７】
このような床下配管構造も、バイパス通気管４によって排水ヘッダー２の内部上方空間と下流側排水管３ｂの内部上方空間が連通され、また、下流側排水管３ｂから第二の排水ヘッダー２０を通ってその下流側端部の渦流発生器６０に流入した排水は渦流となり、空気芯を形成しながら流落して基礎貫通排水管３ｄを閉塞することがなく、更に、屋外の排水桝７でも渦流が発生して屋外の排水管路を閉塞することがない。従って、下流側排水管３ｂの排水ヘッダー２近傍部分が排水で閉塞されても、排水ヘッダー２、該ヘッダーに接続されている上流側排水管３ａ及び排水枝管、下流側排水管３ｂ、第二の排水ヘッダー２０、該ヘッダーに接続されている排水枝管、深さ調節用の縦管３ｆ、大曲り継手３ｅ、基礎貫通排水管３ｄなどの全ての通気が確保されて大気圧に保たれるため、バイパス通気管４の通気作用が損なわれるほどの大量の排水が流れない限り、負圧による水設備のトラップの封水破壊を生じることはない。しかも、この床下配管構造は、第二の排水ヘッダー２０を増設しているため、より多くの排水枝管を接続して一括排水の効率を高めることができる。
【図面の簡単な説明】
【００３８】
【図１】本発明に係る第一の床下配管構造の実施形態を示す全体図である。
【図２】同床下配管構造に用いる排水ヘッダーの斜視図である。
【図３】同排水ヘッダーの断面図である。
【図４】同排水ヘッダーの分解断面図である。
【図５】同床下配管構造に用いるバイパス通気管の側面図である。
【図６】同床下配管構造に用いる渦流発生器の断面図である。
【図７】同渦流発生器の蓋を外した平面図である。
【図８】同床下配管構造の拡大部分断面図である。
【図９】本発明に係る第二の床下配管構造の実施形態を示す全体図である。
【図１０】同床下配管構造に用いる渦流発生器を連設した第二の排水ヘッダーを示す斜視図である。
【符号の説明】
【００３９】
２    排水ヘッダー
２ａ  上流側端部の接続口
２ｂ  下流側端部の接続口
２ｃ  側部の接続口
２ｄ  上部開口
３ａ  上流側排水管
３ｂ  下流側排水管
３ｃ  チーズ継手
３ｄ  基礎貫通排水管
４    バイパス通気管
４ａ  直角エルボ継手
５    建物の基礎（布基礎）
６    渦流発生器
６ａ  側部の接続口
６ｂ  底部の接続口
７    渦流を発生させる排水桝
２０  第二の排水ヘッダー
６０  渦流発生器
Ｖ１  排水ヘッダーの内部上方空間
Ｖ２  下流側排水管の内部上方空間
【図１】
2006307536.tif 000003
【図２】
2006307536.tif 000004
【図３】
2006307536.tif 000005
【図４】
2006307536.tif 000006
【図５】
2006307536.tif 000007
【図６】
2006307536.tif 000008
【図７】
2006307536.tif 000009
【図８】
2006307536.tif 000010
【図９】
2006307536.tif 000011
【図１０】
2006307536.tif 000012